(57)【特許請求の範囲】
【請求項１】
建具開口に横引戸と嵌殺戸を配置するとともに横引戸の閉成を嵌殺戸と直列に，開成を嵌殺戸と並列に行うようにした上吊建具であって，前方に向けて突設した支持金具によって横引戸の上框を前後揺動自在に上吊支持して開口の上枠に長手方向スライド自在に配置した横引戸上框案内用の上吊スライダーと，嵌殺戸の下框の召合側端部において前後スライド自在又は前後回動自在に設置した連結金具によって横引戸の召合框を前後揺動自在に連結して嵌殺戸の下框に長手方向スライド自在に配置した横引戸召合框案内用の下位スライダーとを備えてなることを特徴とする上吊建具。
【請求項２】
上記建具開口の戸先側縦枠と横引戸の戸先框間に配置し，該横引戸の戸先框を戸先側縦枠に保持する戸先框保持金具を備えてなることを特徴とする請求項１に記載の上吊建具。
【請求項３】
上記建具開口の下枠又は床面に固定して，横引戸の下框を前後方向に位置決めするストッパーを備えてなることを特徴とする請求項１又は２に記載の上吊建具。
【請求項４】
上記上吊スライダーを上枠長手方向に一対配置するとともに該上枠へのスライド自在の配置を，上枠の２面に形成したスライドガイドにそれぞれガイドローラーを転動自在に係合して行ってなることを特徴とする請求項１，２又は３に記載の上吊建具。
【請求項５】
上記上吊スライダーの支持金具を，平面Ｕ字状にして一対の支持突片を備えるとともに該一対の支持突片に突出方向前方を上位とし，突出方向後方を下位とする前後段差一対の水平支持部を配置してなることを特徴とする請求項１，２，３又は４に記載の上吊建具。
【請求項６】
上記下位スライダーを，嵌殺戸の下框に平行な短寸のガイド軸を備えるとともに召合側端部において嵌殺戸の幅方向外方に突出するように形成し，該ガイド軸に上記連結金具の一端を軸支し且つ他端を長孔を介して横引戸の召合框側面に揺動自在に連結してなることを特徴とする請求項１，２，３，４又は５に記載の上吊建具。
【請求項７】
上記横引戸及び嵌殺戸を，それぞれアルミ材を框組みした框枠に対して防虫ネットを張設した網戸によって形成してなることを特徴とする請求項１，２，３，４，５又は６に記載の上吊建具。
【発明の詳細な説明】
【技術分野】
【０００１】
本発明は，横引戸と嵌殺戸を備えて，横引戸を嵌殺戸に直列に閉成し且つ並列に開成するように構成し，例えば網戸やクロゼットの室内戸等として好適に使用し得る上吊建具に関する。
【背景技術】
【０００２】
例えば引違戸の室外側に開閉自在に配置して通風性と防虫性を確保するように使用する網戸は，周知の如くに，引違戸開口の前後方向一側，例えば室外側に網戸スペースを形成し，引違戸開口の上下枠の該網戸スペースに配置したガイドレールの案内によって引違戸一方から他方に向けて横引開閉するものとされ，このとき該網戸は，引違戸開口の横幅，即ち上下枠の長さの１／２幅にして，引違戸一方の開成時に，網戸の外周に配置した防虫材を引違戸開口と引違戸の召合框に対接させてその開成幅をその外側で被覆封止することによって通風性と防虫性とを確保するように使用するものとされる。
【０００３】
【特許文献１】特開２００６−１８８９３９号公報
【発明の開示】
【発明が解決しようとする課題】
【０００４】
しかし乍ら，この場合，引違戸開口に，形態とデザインを異にする幅方向片側一方の網戸と片側他方の引違戸が並ぶことによって，違和感を呈するものとなり易く，これによって室外側の外観を損う傾向がつよく，該開口の外観を向上することが求められる。一方，引違戸以外の，例えば横引きシャッターの如くに折畳戸に上記網戸を用いると，折畳戸の開成によって得られる開成幅と網戸の幅が一致しないために，防虫材によって網戸と折畳戸開口及び折畳戸との間を封鎖できず，従って防虫性を確保できないことになる。この場合，折畳戸開口の幅方向中間に支柱を立設して，網戸に設置した防虫材を対接するか，折畳戸開口の室外側に，上記引違戸と同様に複数のガイドレールを配置して引違い網戸を配置するかのいずれかによることが必要となるが，前者の場合，支柱の配置によって折畳戸開口が幅方向に分断され，例えばサンルーム等のアウトドアスペースに折畳戸と網戸を配置しようとすると，支柱の立設による折畳戸開口の狭まりによってその商品価値が低下するという問題点を招き，また後者の場合には，引違い網戸を配置することによって折畳戸開口枠の見込寸法が全体的に大きくなるという問題点を招くことになる。
【０００５】
本発明はかかる事情に鑑みてなされたもので，その解決課題とするところは，直列に配置した嵌殺戸と横引戸によって建具開口を覆って，該建具開口の外観を統一のデザインとなし得るようにするとともに横引戸を嵌殺戸に並列に開成し得るようにした上吊建具を提供するにある。
【課題を解決するための手段】
【０００６】
上記課題に沿って本発明は，建具開口に横引戸と嵌殺戸を，横引戸の閉成を嵌殺戸と直列に，開成を嵌殺戸と並列に行うように配置するとともに，該横引戸の直列閉成，並列開成の開閉を，上枠に配置した上吊スライダーに該横引戸の上框を前後方向揺動自在に上吊支持するとともに嵌殺戸の下框に配置した下位スライダーに同じく横引戸の召合框を前後方向揺動自在に連結することによって行うものとし，該横引戸が上吊スライダーと下位スライダーの案内により建具開口の定位置に至ったとき，上記前後方向の揺動によって嵌殺戸に対して直列の閉成状態とし，また該直列の閉成状態から前後方向の揺動によって上吊スライダーと下位スライダーの案内により嵌殺戸の内側に並列の開成状態とし得るようにしたものであって，即ち請求項１に記載の発明を，建具開口に横引戸と嵌殺戸を配置するとともに横引戸の閉成を嵌殺戸と直列に，開成を嵌殺戸と並列に行うようにした上吊建具であって，前方に向けて突設した支持金具によって横引戸の上框を前後揺動自在に上吊支持して開口の上枠に長手方向スライド自在に配置した横引戸上框案内用の上吊スライダーと，嵌殺戸の下框の召合側端部において前後スライド自在又は前後回動自在に設置した連結金具によって横引戸の召合框を前後揺動自在に連結して嵌殺戸の下框に長手方向スライド自在に配置した横引戸上框案内用の下位スライダーとを備えてなることを特徴とする上吊建具としたものである。
【０００７】
請求項２に記載の発明は，上記に加えて，建具開口の戸先側縦枠と横引戸の戸先框間に，戸先框保持金具を配置して，上記上吊スライダーと下位スライダーに揺動自在とした横引戸における嵌殺戸との直列の閉成状態でその戸先框を保持することによって，該横引戸の揺動を防止しその安定した閉成状態を確保するものとするように，これを，上記建具開口の戸先側縦枠と横引戸の戸先框間に配置し，該横引戸の戸先框を戸先側縦枠に保持する戸先框保持金具を備えてなることを特徴とする請求項１に記載の上吊建具としたものである。
【０００８】
請求項３に記載の発明は，同じく上記に加えて，建具開口の下枠や該下枠を使用しないときに床面に横引戸の下框の内外方向における位置決めを行うストッパーを配置することによって，横引戸を閉成するときに下框を定位置に位置決めして，その閉成を容易化するとともに，同じく閉成状態で横引戸の揺動を防止してその安定した閉成状態を確保するものとするように，これを，上記建具開口の下枠又は床面に固定して，横引戸の下框を前後方向に位置決めするストッパーを備えてなることを特徴とする請求項１又は２に記載の上吊建具としたものである。
【０００９】
請求項４に記載の発明は，同じく上記に加えて，上枠に対して横引戸を一対の上吊スライダーによって支持することによって，該横引戸の開閉を安定して行うものとするように，これを，上記上吊スライダーを上枠長手方向に一対配置するとともに該上枠へのスライド自在の配置を，上枠の２面に形成したスライドガイドにそれぞれガイドローラーを転動自在に係合して行ってなることを特徴とする請求項１，２又は３に記載の上吊建具としたものである。
【００１０】
請求項５に記載の発明は，同じく上記に加えて，支持金具を平面Ｕ字状とし且つ該支持金具に内外方向に段差をなす一対の水平支持部を配置することによって，嵌殺戸に対する直列閉成及び並列開成の横引戸の支持を安定して行うものとするように，これを，上記上吊スライダーの支持金具を，平面Ｕ字状にして一対の支持突片を備えるとともに該一対の支持突片に突出方向前方を上位とし，突出方向後方を下位とする前後段差一対の水平支持部を配置してなることを特徴とする請求項１，２，３又は４に記載の上吊建具としたものである。
【００１１】
請求項６に記載の発明は，同じく上記に加えて，下位スライダーと横引戸の連結を，下位スライダーのガイド軸に軸支した連結金具を用いて，その長孔を介して横引戸の召合框側面に揺動自在に行うようにし，横引との直列閉成及び並列開成に際して連結金具が該横引戸を外側に誘導することによって，上吊スライダーとともに可及的簡易な構造で横引戸の開閉を可能とするように，これを，上記下位スライダーを，嵌殺戸の下框に平行な短寸のガイド軸を備えるとともに召合側端部において嵌殺戸の幅方向外方に突出するように形成し，該ガイド軸に上記連結金具の一端を軸支し且つ他端を長孔を介して横引戸の召合框側面に揺動自在に連結してなることを特徴とする請求項１，２，３，４又は５に記載の上吊建具としたものである。
【００１２】
請求項７に記載の発明は，同じく上記に加えて，上吊建具を網戸とすることによって，上記従来の網戸に見られる問題点を解消したものとするように，これを，上記横引戸及び嵌殺戸を，それぞれアルミ材を框組みした框枠に対して防虫ネットを張設した網戸によって形成してなることを特徴とする請求項１，２，３，４，５又は６に記載の上吊建具としたものである。
【００１３】
本発明はこれらをそれぞれ発明の要旨として上記課題解決の手段としたものである。
【発明の効果】
【００１４】
本発明は以上のとおりに構成したから，請求項１に記載の発明は，建具開口に横引戸と嵌殺戸を，横引戸の閉成を嵌殺戸と直列に，開成を嵌殺戸と並列に行うように配置するとともに，該横引戸の直列閉成，並列開成の開閉を，上枠に配置した上吊スライダーに該横引戸の上框を前後方向揺動自在に上吊支持するとともに嵌殺戸の下框に配置した下位スライダーに同じく横引戸の召合框を前後方向揺動自在に連結することによって行うものとし，該横引戸が上吊スライダーと下位スライダーの案内により建具開口の定位置に至ったとき，上記前後方向の揺動によって嵌殺戸に対して直列の閉成状態とし，また該直列の閉成状態から前後方向の揺動によって上吊スライダーと下位スライダーの案内により嵌殺戸の内側に並列の開成状態とし得るようにして，建具開口の外観を統一のデザインとなし得るようにするとともに開成による人の出入や通風を可能とした上吊建具を提供することができる。
【００１５】
請求項２に記載の発明は，上記に加えて，建具開口の戸先側縦枠と横引戸の戸先框間に，戸先框保持金具を配置して，上記上吊スライダーと下位スライダーに揺動自在とした横引戸における嵌殺戸との直列の閉成状態でその戸先框を保持することによって，該横引戸の揺動を防止しその安定した閉成状態を確保することができる。
【００１６】
請求項３に記載の発明は，同じく上記に加えて，建具開口の下枠や該下枠を使用しないときに床面に横引戸の下框の内外方向における位置決めを行うストッパーを配置することによって，横引戸を閉成するときに下框を定位置に位置決めして，その閉成を容易化するとともに，同じく閉成状態で横引戸の揺動を防止してその安定した閉成状態を確保することができる。
【００１７】
請求項４に記載の発明は，同じく上記に加えて，上枠に対して横引戸を一対の上吊スライダーによって支持することによって，該横引戸の開閉を安定して行うものとすることができる。
【００１８】
請求項５に記載の発明は，同じく上記に加えて，支持金具を平面Ｕ字状とし且つ該支持金具に内外方向に段差をなす一対の水平支持部を配置することによって，嵌殺戸に対する直列閉成及び並列開成の横引戸の支持を安定して行うものとすることができる。
【００１９】
請求項６に記載の発明は，同じく上記に加えて，下位スライダーと横引戸の連結を，下位スライダーのガイド軸に軸支した連結金具を用いて，その長孔を介して横引戸の召合框側面に揺動自在に行うようにし，横引との直列閉成及び並列開成に際して連結金具が該横引戸を外側に誘導することによって，上吊スライダーとともに可及的簡易な構造で横引戸の開閉を可能とすることができる。
【００２０】
請求項７に記載の発明は，同じく上記に加えて，上吊建具を網戸とすることによって，上記従来の網戸に見られる問題点を解消したものとすることができる。
【発明を実施するための最良の形態】
【００２１】
以下図面の例に従って本発明を更に具体的に説明すれば，Ａは上吊建具であり，該上吊建具Ａは，建具開口１に横引戸３と嵌殺戸４を配置するとともに横引戸３の閉成を嵌殺戸４と直列に，開成を嵌殺戸４と並列に行うようにしてあり，本例にあって該上吊建具Ａは，その上記横引戸３及び嵌殺戸４を，それぞれアルミ材の上框３ａ，４ａ，召合框等の縦框３ｂ，４ｂ及び下框３ｃ，４ｃを框組みした框枠に対して防虫ネットを張設した網戸，本例にあっては中桟なしの網戸を用いた上吊網戸としてある。
【００２２】
上吊建具，即ち，本例にあって上吊網戸Ａは，前方に向けて突設した支持金具５３によって横引戸３の上框３ａを前後揺動自在に上吊支持して開口の上枠に長手方向スライド自在に配置した横引戸３上框案内用の上吊スライダー５と，嵌殺戸４の下框４ｃの召合側端部において前後スライド自在又は前後回動自在に設置した連結金具６６によって横引戸３の召合框３ｂを前後揺動自在に連結して嵌殺戸４の下框４ｃに長手方向スライド自在に配置した横引戸３召合框案内用の下位スライダー６とを備えたものとしてあり，このとき上記上吊スライダー５は，これを上枠２長手方向に一対配置するとともに該上枠２へのスライド自在の配置を，上枠２の２面に形成したスライドガイド２１にそれぞれガイドローラーを転動自在に係合して行ったものとしてある。
【００２３】
上吊網戸Ａは，例えば蛇腹状に折畳開閉するサンルーム乃至アウトドアスペースの折畳戸１４の前後方向片側，本例にあっては室外側に，その設置時に同時に又は後付するように配置することにより，室内側に向けて突出する該折畳戸１４の幅方向に向けた蛇腹状の折畳を阻害することなく，その横引戸３における嵌殺戸４との直列閉成及び並列開成を行って，横引戸３の閉成時に通風と防虫の機能を発揮し，開成時に人の出入りを可能とするようにしてある。本例にあって該上吊網戸Ａは，その上吊用の上枠２を，上記横引戸３の開閉用の専用枠として用いて，これを折畳戸開口枠１に別体に配置し，その上枠１１に添設固定する以外に，例えば下枠や縦枠を用いることなく，その設置を行ったものとしてあり，このとき本例の上記嵌殺戸４は，その上下端を，上記折畳開口枠１の上枠１１に，下端を該折畳開口枠１の下枠１３にそれぞれ該上枠１１及び下枠１３の長手方向各２ヶ所のブラケット４２を介して，該折畳開口枠１に対して固定してある。
【００２４】
上吊網戸Ａにおける上記横引戸３及び嵌殺戸４は，これを，それぞれアルミ材，特にアルミ押出材とした上框３ａ，４ａ，縦框３ｂ，４ｂ，下框３ｃ，４ｃの四周の框を常法に従って框組みし，その外周に連続するように配置した凹陥溝に押えゴムを用いて同じく常法に従って防虫ネットを張設するとともに四周の框の外側，即ち折畳戸開口枠１側に向けてモヘア等の防虫材３３，４３を配置して，該折畳戸開口枠１乃至横引戸３と嵌殺戸４間の防虫のための封止を行うものとしてある。このとき該防虫材３３，４３は，各上框３ａ，４ａ，縦框３ｂ，４ｂ，下框３ｃ，４ｃにおけるコーナー部に配置した受溝に嵌合基部を嵌合することによって拡開状の傾斜方向に突出，例えば框枠の外周側で交差する３／４円の中央位置に向けた１３５°の角度とするように突出してあり，これにより該防虫材３３，４３が折畳戸開口枠１に対接するとともに横引戸３の直列閉成状態で該防虫材３３，４３の先端同士が対接し，その封止による防虫機能を発揮し得るようにしてある。
【００２５】
上記嵌殺戸４の折畳戸開口枠１への固定は，嵌殺戸４の上端において，その上記ブラケット４２を断面Ｌ字状とし，その起立片を折畳戸開口枠１の上枠１１にネジ止めし，その水平片を嵌殺戸４の上框４ａの上面をネジ止めすることによってこれを行う一方，嵌殺戸４の下端において，その上記ブラケット４２を断面水平乃至Ｓ字状として，該ブラケット４２の一端を折畳開口枠１の下枠１３上に，他端を嵌殺戸４の下框４ｃの下面にそれぞれネジ止めすることによってこれを行ってあり，これによって該折畳開口枠１の幅方向略１／２に該嵌殺戸４を配置してある。
【００２６】
上吊網戸Ａの上枠２は，これを折畳戸開口枠１の上枠１１に，上記嵌殺戸４のブラケット４２より上位にしてその長手方向全長に亘るように，例えばネジによって固定してあり，本例にあって該上枠２は，断面Ｓ字状にして，例えば，上端に上記折畳戸開口枠１の上枠１１に添設する上向きの添設固定片と，該添設固定片の下端から内側に突出した水平片と，該水平片の先端から下向きに突出した垂直片とを備えて形成するとともに，本例にあって該上枠２の内側にスライドガイド２１を配置して横引戸３の上吊スライダー５の上枠長手方向に向けたスライド案内を行うようにしてある。
【００２７】
本例にあって上記スライドガイド２１は，これを上枠２の直角２面に配置し，横引戸３の上吊スライダー５を該直角２面でスライド自在に吊支持することによって，該横引戸３の可及的に安定したスライド移動による開閉と同じく揺動を防止した直列閉成及び並列開成をなし得るようにしてあり，上枠２を上記断面Ｓ字状とした本例にあって，該スライドガイド２１は，その上記水平片及び垂直片の内面にそれぞれ対向方向に突出した各一対の突出レールのガイドレールを上記直角２面に配置することによる２条配置のものとしてあり，該突出レールのガイドレールとした上枠２のスライドに，同じく直角２面に２対配置した，本例にあって溝戸車とした上吊スライダー５のガイドローラー５２を係合することによって，上吊スライダー５を２面支持するように，その吊支持を行ってある。
【００２８】
このとき本例の上吊スライダー５は，これを上枠長手方向に一対配置して横引戸３の吊支持を安定して行うようにするとともに各上吊スライダー５の上記直角２面のガイドーラー５２を，それぞれ上枠長手方向に複数，本例にあっては一対配置し，各上吊スライダー５の吊支持を更に安定するようにしてある。
【００２９】
該上吊スライダー５は，側面Ｃ字状とし且つ中央位置で正面と下面の２面に亘るように切欠いたスライダー基部５１と，該スライダー基部５１における上方の水平片及び垂直片の両端にそれぞれ回転自在に軸支してその直角２面に配置した上記２対，即ち４個のガイドローラー５２と，上記横引戸３を吊支持する支持金具５３とを備えたものとしてあり，本例にあって該上吊スライダー５の支持金具５３は，これを，平面Ｕ字状にして一対の支持突片５４を備えるとともに該一対の支持突片５４に突出方向前方を上位とし，突出方向後方を下位とする前後段差一対の水平支持部５７を配置したものとしてあり，該一対の水平支持部５７を配置することによって，該水平支持部５７の前後方向２ヶ所を吊支持の定位置として横引戸３の吊支持を可及的に安定してなし得るようにしてある。このとき本例の支持金具５３にあって，その支持突片５４の先端にはそれぞれ上向きに突出した外れ止め５８を配置し，その突出方向前方上位の水平支持部５７における吊支持状態で横引戸３の外れを防止し，その吊支持を安定して行うようにしてある。
【００３０】
即ち支持金具５３は，上吊スライダー５のスライダー基部５１に一体に配置して，支持金具５３を該スライダー基部５１と一体形成したものとすることが可能であるが，本例にあっては該上吊スライダー５に別体に配置したものとしてあり，本例の支持金具５３は，幅方向中央部を後方に向けて部分的に切欠いた水平の金具基部５５と，該金具基部５５からそれぞれ上向き傾斜の傾斜部５６を介して上位に配置した一対の水平支持部５７を備えた屈曲プレートによるものとし，該支持金具５３の上記金具基部５５の両端を上記スライダー基部５１の両端にネジ止め等によって固定することにより，上記金具基部５１の中央部分を突出方向後方下位の水平支持部５７とし，傾斜部５６を介した上記突出方向前方の水平支持部５７とともに上記前後段差一対のものとしてある。
【００３１】
該支持金具５３を備えた上吊スライダー５による横引戸３の吊支持は，該横引戸３の上框３ａに上向きに突設した上吊金具，本例にあって上框長手方向に一対の上吊金具３１を介して行ってあり，本例にあって該上吊金具３１は，側面Ｔ字状をなすように，支軸と，該支軸上端の幅方向に突出した載置片を備えたものとしてあり，本例の上吊金具３１は，例えば市販のボルトを用い，該ボルトを横引戸の上框にその長手方向２ヶ所に植立することによって，これを形成してある。
【００３２】
上吊金具３１は，その支軸を，上記上吊スライダー５における一対の支持突片５４間の溝部に内外方向揺動自在に挿通するとともにその上端の載置片を該一対の支持突片５４上に載置することによって，横引戸３の吊支持を行うようにしてある。従って該上吊金具３１は，その支軸を一対の支持突片５４間の溝部に，その外側から挿入して該上吊金具３１を突出方向前方の水平支持部５７と突出方向後方の水平支持部５７間で揺動することが可能となるようにしてあり，従って横引戸３を押圧して，上吊金具３１を突出方向後方の水平支持部５７に載置すると，横引戸３は上枠２側にこれと近接するように位置して嵌殺戸４と直列の閉成状態とすることができ，また横引戸３を手前側に引寄せて，上吊金具３１を上記突出方向後方の水平支持部５７から傾斜部５６を通過して突出方向前方の水平支持部５７に載置すると，横引戸３は上枠２側から離隔して嵌殺戸４の手前に位置して，横引戸３を嵌殺戸４に接触することなく，上吊スライダー５を介して上枠長手方向にスライド移動を可能とするとともに嵌殺戸４と並列の開成状態とすることができるようにしてある。
【００３３】
このように上枠２に吊支持した横引戸３は，嵌殺戸４の下框４ｃにスライド自在に配置した下位スライダー６によって，その下端，特にその召合框３ｂの下端を案内することによって，その安定した開閉を行うようにしてあり，本例にあって該下位スライダー６は，これを，嵌殺戸４の下框４ｃに平行な短寸のガイド軸６２を備えるとともに召合側３ｂ端部において嵌殺戸４の幅方向外方に突出するように形成し，該ガイド軸６２に上記連結金具６６の一端を軸支し且つ他端を長孔６７を介して横引戸３の召合框３ｂ側面に揺動自在に連結したものとしてある。
【００３４】
即ち下位スライダー６は，例えば幅方向一対の軸受をなす起立壁６１と，該起立壁６１に架設した上記ガイド軸６２と，上記一対の起立壁６１をつなぐ底壁６３と，該底壁６３から垂下した垂下壁６４と，該垂下壁６４に回動自在に配置した，本例にあって上記上吊スライダー５と同様に幅方向一対の，同じく溝戸車によるガイドローラー６５とを備えたものとしてあり，該ガイドローラー６５を，嵌殺戸４の下框４ｃに配置したスライドガイド４１，本例にあっては，上記上枠２におけると同様に一対の突出レールを有する断面Ｃ字状のガイドレールに係合することによって，該下框４ｃにスライド自在としてあり，本例にあって該スライドガイド４１は，これを下框４ｃの見付面に凹陥配置してあり，これによって下位スライダー６がそのガイドローラー６５を下框内に部分的に嵌め込み状として，その下框４ｃに対するスライドを行うようにしてある。
【００３５】
下位スライダー６における上記ガイド軸６２には，連結金具６６の一端，即ち下端を回動自在に軸支し，該連結金具６６を，該ガイド軸６２長手方向にスライド自在とするとともにその他端，即ち上端を，上記長孔６７を介して横引戸３の召合框３ｂ下端に揺動自在に連結してある。このとき該連結金具６６は，例えば正面Ｓ字状を呈するように屈曲形成して上部を嵌殺戸４の端部から離隔して突出するようにしてあり，また該下位スライダー６を嵌殺戸４の召合框４ｂ側にスライド移動したとき，そのスライド方向先端が嵌殺戸４の端部から横引戸側に僅かに，例えば肉厚分乃至数ｍｍ程度突出し，該嵌殺戸の召合框側面において該連結金具の回動間隙を形成し，該回動間隙において連結金具６６の下部を前後方向に回動し得るようにして，後述のように横引戸３の直列閉成をなし得るようにしてある。なお回動間隙の形成は，例えばガイドローラー６５の配置を下位スライダー６の幅方向内側の位置とし，ガイドローラー６５がスライドガイド４１の終端で停止したときに下位スライダー６が嵌殺戸４から突出するようにすれば，これを容易になし得る。
【００３６】
連結金具６６による横引戸３の連結は，該横引戸３の召合框３ｂ側面に連結金具６６上端の長孔６７に係合するボルト等の側面Ｔ字状の係合金具３２を配置し，上吊金具３１と同様に，該係合金具３２を連結金具６６に係合することによってこれを行ってある。
【００３７】
従って横引戸３を嵌殺戸４の並列開成状態から閉成位置に引寄せ移動して，該横引戸３を上記のように押圧すれば，その上端が上記上吊スライダー５に吊支持された状態で上枠２側に揺動近接するに伴って，下位スライダー５と横引戸３とを連結する連結金具６６が，下位スライダー６のガイド軸６２を回動中心として回動するとともに横引戸３の召合框３ｂ下端の係合金具３２が該連結金具６６の長孔６７内を回動移動する結果，該連結金具６６が横引戸３の召合框３ｂ下端を案内して，その嵌殺戸４との直列閉成を行うに至る。また横引戸３を手前側に引寄せれば，同じくその上端が上枠２側から離隔するに伴って連結金具６６と係合金具３２が逆動作を行うように横引戸３の召合框３ｂ下端を案内して，上記上吊スライダー５とともに下位スライダー６のスライド移動による横引戸３の開閉が可能になるとともに嵌殺戸４との並列開成を行うに至る。
【００３８】
このとき本例の上吊網戸Ａは，上記建具開口の戸先側縦枠，本例にあっては折畳戸開口枠１の戸当縦枠１２又は吊元側縦枠１２と横引戸３戸先框３ｂ間に配置し，該横引戸３の戸先框３ｂを縦枠１２に保持する戸先框保持金具７を備え，また同じく折畳戸開口枠１の下枠１３又は床面，本例にあっては下枠１３に固定して，横引戸３の下框３ｃを前後方向に位置決めするストッパー８を備えたものとしてあり，上記横引戸３の直列閉成を，その揺動を可及的に防止してなし得るようにしてある。
【００３９】
戸先框保持金具７は，上記折畳戸開口枠１の縦枠１２に正面側に突出するように配置した受金具７１と，横引戸３の戸先框３ｂに配置して該受金具７１に係合する係合金具７２とを対として備えたものとしてあり，本例にあってその上記受金具７１は，金具基部と，該金具基部の上下中央部に配置し，先端を拡開状に折曲した切起し舌片とを一体に備え，その金具基部をネジ止め等によって縦枠の見付面に固定してその配置を行ってあり，また係合金具７２は，金具基部と，該金具基部から起立した，例えば平面Ｔ字状の係合舌片とを一体に備えたものとしてあり，同じくその金具基部をネジ止め等によって戸先框先端の見込面に固定してその配置を行ってあり，上記横引戸３の閉成に際して横引戸３の引寄せ移動によって係合金具７２の係合舌片を受金具７１の切起し舌片に受入れ，これら受金具７１と係合金具７２を係合して，該戸先框保持金具７によって横引戸３の戸先を保持し，該戸先の保持状態で横引戸３の上記直列閉成をなし得るようにし，また直列閉成後は該横引戸３の揺動を防止し，その安定した閉成状態を維持するものとしてある。
【００４０】
ストッパー８は，例えば折畳戸開口枠１の下枠１３に載置固定した横向きバー材によるものとしてあり，横引戸３の下框３ｃがこれに当り，その案内を受けることによって，上記係合金具７２の受金具７１への係合を誘導するようにしてあり，また横引戸３の下框３ｃの前後方向の位置決めを行って，該横引戸３の揺動を防止しその直列閉成を安定してなし得るようにするとともにその安定した閉成状態を維持するものとしてある。
【００４１】
図中３４は横引戸３の幅方向両側の縦框３ｂに配置した開閉用の把手を示す。
【００４２】
以上のように形成した本例の上吊網戸Ａは，直列に配置した横引戸３と嵌殺戸４によって折畳戸開口を覆って，該開口の外観を網戸として統一のデザインとなし得るとともに横引戸３を嵌殺戸４に並列に開成することを可能としたものとすることができる。該上吊網戸Ａは，上枠２，横引戸３，嵌殺戸４，これらと上枠２及びこれら相互間の，上吊スライダー５，下位スライダー６等の比較的少ない部材を用いて構成することによって，構造や部材の複雑化を回避して，可及的簡易な構造で上記直列閉成と並列開成を安定して行うものとすることができ，また故障の可能性が少なく，その耐久性を確保したものとすることができる。上記防虫材３３，４３を拡開状の傾斜方向に突出したことによって，専用枠を用いることなく，他の建具，即ち折畳戸１４の開口枠１を用い乍ら，網戸としての防虫性を確実に確保することができ，上記戸先框保持金具７，ストッパー８により横引戸のスムーズな開閉をなし得るようにすることができる。
【００４３】
図示した例は以上のとおりとしたが，上記上吊建具を，例えばその嵌殺戸と横引戸をパネル構造のものとし，また幅方向両端一対の嵌殺戸と中間一対の横引戸の４枚戸の両開き開閉構造のものとする如くに，建具の種類用途乃至開口幅に合せて構成することによって，単独配置のクロゼットの室内戸，室内間仕切等の各種用途の建具とすること，この場合を含めて，必要に応じて嵌殺戸と横引戸を収納する専用の開口枠を用いること，嵌殺戸を上枠に対して固定するようにすること，上記上吊網戸とするとき，上記上枠を折畳戸等の建具開口枠の上枠と一体に形成すること等を含めて，本発明の実施に当って，上吊建具，建具開口，横引戸，嵌殺戸，上吊スライダー，その支持金具，下位スライダー，その連結金具，必要に応じて用いる戸当框保持金具，ストッパー，ガイドレール，ガイドローラー，ガイド軸等の各具体的形状，構造，材質，これらの関係，これらに対する付加等は，上記発明の要旨に反しない限り様々な形態のものとすることができる。
【図面の簡単な説明】
【００４４】
【図１】閉成した上吊網戸の設置状態を示す正面図である。
【図２】開成した上吊網戸の設置状態を示す正面図である。
【図３】横引戸を閉成した上吊網戸の縦断面図である。
【図４】横引戸の開成途中を示す上吊網戸の縦断面図である。
【図５】横引戸を開成した上吊網戸の縦断面図である。
【図６】横引戸と下位スライダーの関係を示す縦断面図である。
【図７】横引戸を閉成した上吊網戸の横断面図である。
【図８】横引戸の開成途中を示す上吊網戸の横断面図である。
【図９】横引戸を開成した上吊網戸の横断面図である。
【図１０】図７の中央部分の拡大横断面図である。
【図１１】図８の中央部分の拡大横断面図である。
【図１２】図９の中央部分の拡大横断面図である。
【図１３】上枠の縦断面図である。
【図１４】上吊スライダーの側面図である。
【図１５】上吊スライダーの正面図である。
【図１６】上吊スライダーの平面図である。
【図１７】上吊スライダーの底面図である。
【図１８】嵌殺戸下框の縦断面図である。
【図１９】下位スライダーの正面図である。
【図２０】下位スライダーの側面図である。
【符号の説明】
【００４５】
１  折畳戸開口枠
１１  上枠
１２  縦枠
１３  下枠
１４  折畳戸
Ａ  上吊網戸
２  上枠
２１  スライドガイド
３  横引戸
３ａ  上框
３ｂ  縦框
３ｃ  下框
３１  上吊金具
３２  係合金具
３３  防虫材
３４  把手
４  嵌殺戸
４ａ  上框
４ｂ  縦框
４ｃ  下框
４１  スライドガイド
４２  ブラケット
４３  防虫材
５  上吊スライダー
５１  スライダー基部
５２  ガイドローラー
５３  支持金具
５４  支持突片
５５  金具基部
５６  傾斜部
５７  水平支持部
５８  外れ止め
６  下位スライダー
６１  起立壁
６２  ガイド軸
６３  底壁
６４  垂下壁
６５  ガイドローラー
６６  連結金具
６７  長孔
７  戸先框保持金具
７１  受金具
７２  係合金具
８  ストッパー
【図１】
0005043541.tif 000002
【図２】
0005043541.tif 000003
【図３】
0005043541.tif 000004
【図４】
0005043541.tif 000005
【図５】
0005043541.tif 000006
【図６】
0005043541.tif 000007
【図７】
0005043541.tif 000008
【図８】
0005043541.tif 000009
【図９】
0005043541.tif 000010
【図１０】
0005043541.tif 000011
【図１１】
0005043541.tif 000012
【図１２】
0005043541.tif 000013
【図１３】
0005043541.tif 000014
【図１４】
0005043541.tif 000015
【図１５】
0005043541.tif 000016
【図１６】
0005043541.tif 000017
【図１７】
0005043541.tif 000018
【図１８】
0005043541.tif 000019
【図１９】
0005043541.tif 000020
【図２０】
0005043541.tif 000021